(57)【要約】【課題】容易に組み立てることができる浴室、及び容易に浴室を組み立てることができる浴室の施工方法を提供する。【解決手段】浴室１は、一方向に長い浴槽１０と、浴槽１０の長手方向のフランジ部１２に支持されて、枠７６を有する窓７０とを備えている。このため、浴室１は、浴槽１０の長手方向のフランジ部１２が枠７６を有する窓７０を支持する構造であり、窓７０の設置が簡単である。【選択図】図８
2019119986.tif 000002
【特許請求の範囲】
【請求項１】
一方向に長い浴槽と、
前記浴槽の長手方向の縁に支持されて、枠を有する窓と、
を備えていることを特徴とする浴室。
【請求項２】
前記窓は、前記浴槽の長手方向の全幅にわたって前記縁に支持されていることを特徴とする請求項１に記載の浴室。
【請求項３】
請求項１又は２に記載の浴室の施工方法であって、
索状物が縦方向に巻きつけられた窓を準備する窓準備工程と、
前記索状物を把持して、前記窓を前記浴槽の長手方向の縁に載置する窓載置工程を備えていることを特徴とする浴室の施工方法。
【請求項４】
請求項１又は２に記載の浴室の施工方法であって、
前記浴室の内側から前記窓を前記浴槽の長手方向の縁に載置する窓載置工程を備えていることを特徴とする浴室の施工方法。
【請求項５】
請求項１又は２に記載の浴室は、
前記浴室の４隅に上下方向に延びる４本のコーナーポストと、
隣り合う前記コーナーポストの上端部を互いに連結する複数の天井つなぎ部材と、
を備えており、
前記窓載置工程の前に、前記窓が隣接しない前記コーナーポストの少なくとも一方の前記コーナーポストを挟んで２つの壁部材を前記コーナーポストに取り付ける壁部材取り付け工程を備えていることを特徴とする請求項３又は４に記載の浴室の施工方法。
【発明の詳細な説明】
【技術分野】
【０００１】
本発明は浴室及びその施工方法に関するものである。
【背景技術】
【０００２】
非特許文献１に開示された組み立て式の浴室において、浴室の壁面の一部がガラス窓である構成の場合、ガラス窓は通常の壁面より重量が重いため、作業者の手で把持して取り扱うより、吸盤等で構成された治具を用いて取り扱うこと場合が多い。
【先行技術文献】
【非特許文献】
【０００３】
【非特許文献１】"パナソニック取付位置説明書バスルーム［本体編］"、P.79−81、［online］、［平成２９年１２月１２日検索］、インターネット〈https://www2.panasonic.biz/ideacontout/2017/12/08/2017120800220004.PDF〉
【発明の概要】
【発明が解決しようとする課題】
【０００４】
しかし、非特許文献１に開示された浴室は、ガラス窓の下側にガラス窓を載置するためのパネルが必要である。
また、この浴室は、吸盤等で構成された治具を使わないと、ガラス窓が不用意に倒れた場合に、とっさの対応ができず、ガラス窓が破損してしまうおそれがある。しかし、吸盤等で構成された治具は、ガラス窓のガラスに吸着してガラス窓を保持するものであるため、ガラスを囲む枠がガラスに対してずれてしまうおそれがあり、ガラス窓の取り付けが難しい。
【０００５】
本発明は、上記従来の実情に鑑みてなされたものであって、容易に組み立てることができる浴室、及び容易に組み立てることができる浴室の施工方法を提供することを解決すべき課題としている。
【課題を解決するための手段】
【０００６】
第１発明の浴室は、一方向に長い浴槽と、
前記浴槽の長手方向の縁に支持されて、枠を有する窓と、
を備えていることを特徴とする。
【０００７】
第１発明の浴室は、浴槽の長手方向の縁が枠を有する窓を支持する構造であり、窓の設置が簡単である。
【０００８】
第２発明の浴室の施工方法は、一方向に長い浴槽と、前記浴槽の長手方向の縁に支持されて、枠を有する窓とを備えた浴室の施工方法であって、索状物が縦方向に巻きつけられた窓を準備する窓準備工程と、前記索状物を把持して、前記窓を前記浴槽の長手方向の縁に載置する窓載置工程を備えていることを特徴とする。
【０００９】
第２発明の浴室の施工方法は、窓を施工する作業者が索状物を把持することによって、窓の運搬や設置が容易である。
【００１０】
第３発明の浴室の施工方法は、一方向に長い浴槽と、前記浴槽の長手方向の縁に支持されて、枠を有する窓とを備えた浴室の施工方法であって、浴室の内側から前記窓を前記浴槽の長手方向の縁に載置する窓載置工程を備えていることを特徴とする。
【００１１】
第３発明の浴室の施工方法は、浴室の内側から窓を浴槽の長手方向の縁に載置するため、浴室の外側の状況に影響されることなく浴室を施工することができる。
【００１２】
したがって、本発明の浴室は容易に組み立てることができ、本発明の浴室の施工方法は容易に浴室を組み立てることができる。
【図面の簡単な説明】
【００１３】
【図１】実施例１に係る浴室であって、浴槽、洗い場、柱部材、及び天井つなぎ部材を組み付けた状態を示す斜視図である。
【図２】実施例１に係る浴室であって、一方の洗い場側コーナーポストに２つの壁部材を取り付けた状態を示す斜視図である。
【図３】実施例１に係る浴室であって、浴槽の上側に養生部材、及び一対の枕木を配置した状態を示す斜視図である。
【図４】実施例１に係る浴室であって、２つの浴槽側コーナーポストの間に窓を設置する様子を示す斜視図である。
【図５】実施例１に係る浴室の浴槽のフランジ部に窓を載置する状態を示す断面図である。
【図６】（Ａ）は実施例１に係る浴室であって、設置された窓からＰＰバンドを切断して取り外す様子を示す斜視図であり、（Ｂ）はＰＰバンドを切断する様子を示す側面図であり、（Ｃ）は窓を持ち上げてＰＰバンドを抜き取る様子を示す側面図である。
【図７】実施例１に係る浴室であって、設置された窓を２つの浴槽側コーナーポストに取り付けられた窓枠固定アングルに仮固定する様子を示す斜視図である。
【図８】実施例１に係る浴室であって、窓及び全ての壁部材を取り付けた状態を示す斜視図である。
【図９】実施例１の窓の正面図である。
【図１０】図９における矢示Ａ−Ａ断面図である。
【図１１】図９における矢示Ｂ−Ｂ断面図である。
【発明を実施するための形態】
【００１４】
本発明における好ましい実施の形態を説明する。
【００１５】
第１発明の窓は、浴槽の長手方向の全幅にわたって縁に支持され得る。この場合、この浴室は浴槽の長手方向の縁の全幅にわたって窓で構成することができるため、大きな窓の設置が簡単である。
【００１６】
第２発明又は第３発明の浴室の施工方法は、浴室の４隅に上下方向に延びる４本のコーナーポストと、隣り合うコーナーポストの上端部を互いに連結する複数の天井つなぎ部材とを備えた浴室において、窓載置工程の前に、窓が隣接しないコーナーポストの少なくとも一方のコーナーポストを挟んで２つの壁部材をコーナーポストに取り付ける壁部材取り付け工程を備え得る。この場合、２つの壁部材が取り付けられたコーナーポストは２つの壁部材によって倒れ難くすることができる。また、複数の天井つなぎ部材によって各コーナーポストが連結しているため、壁部材が取り付けられていないコーナーポストも倒れ難くすることができる。これにより、壁部材取り付け工程の後に窓載置工程を実行しても、窓の重さによって各コーナーポストが倒れることを抑えることができる。
【００１７】
次に、本発明の浴室、及び浴室の施工方法を具体化した実施例１について、図面を参照しつつ説明する。なお、以下の説明では、便宜上、鉛直方向を上下方向とする。
【００１８】
＜実施例１＞
実施例１の浴室１は、図１、２、８に示すように、浴槽１０、洗い場床２０、柱部材４０、４つの天井つなぎ部材４５、壁部材３０、及び窓７０等の部材を組み立てることにより形成されるユニットである。浴槽１０は、浴槽本体１１、縁であるフランジ部１２、及び前垂れ部１３を有している。浴槽本体１１は上面が開放された箱状に形成されており一方向に長く形成されている。以降、浴槽本体１１が一方向に長く形成される方向を長手方向という。また、長手方向に対して水平方向に直交する方向を短手方向という。フランジ部１２は、浴槽本体１１の上端から浴槽本体１１の周縁に広がるように形成されている。前垂れ部１３は、フランジ部１２の洗い場床２０側の端から垂下している。前垂れ部１３の下端は、洗い場床２０の床本体２１の浴槽１０側の端部の上面側に連結する。これら浴槽本体１１、フランジ部１２、及び前垂れ部１３は一体成形されている。
【００１９】
洗い場床２０は浴槽１０に隣接して配置される。洗い場床２０は、床本体２１と、床本体２１の浴槽１０寄りの位置に設けられた排水部２２とを有している。
【００２０】
また、浴槽１０、及び洗い場床２０には壁載置部５０が設けられている。壁載置部５０は、浴室１の周縁に形成され、柱部材４０、壁部材３０、及び窓７０等が載置される。具体的には、壁載置部５０は、浴槽１０の洗い場床２０に隣接する側以外の周囲に位置するフランジ部１２、及び洗い場床２０の浴槽１０と隣接する側以外の縁部に設けられている。壁載置部５０の上面には柱部材４０の下端、壁部材３０及び窓７０等の下端が当接する。また、壁載置部５０には壁載置部５０の外縁から立壁部６０が立ち上がって形成されている。立壁部６０は壁載置部５０の外縁のほぼ全周に渡って、浴室１の四方を囲うように形成されている。ただし、浴室１内の出入りのためのドアが配置される部分には立壁部６０は存在しない。立壁部６０はいわゆる水返しである。
【００２１】
柱部材４０は浴室１の躯体を構成するものである。柱部材４０は、コーナーポストである２つの浴槽側コーナーポスト４０Ａ、コーナーポストである２つの洗い場側コーナーポスト４０Ｂ、２つの浴槽側平面ポスト４０Ｃ、及び１つの洗い場側平面ポスト４０Ｄを有している。２つの浴槽側コーナーポスト４０Ａは、図１〜３、８に示すように、浴槽１０の洗い場床２０から離隔する側の長手方向のフランジ部１２の両端部に位置する壁載置部５０の上側に立設される。２つの洗い場側コーナーポスト４０Ｂは、洗い場床２０の浴槽１０から離隔する側の縁部の両端部に位置する壁載置部５０の上側に立設される。これら浴槽側コーナーポスト４０Ａ、及び洗い場側コーナーポスト４０Ｂは鋼板に折り曲げ加工を施す等して形成されている。また、各浴槽側コーナーポスト４０Ａは自身が延びる方向に沿って形成されたスリット状の開口４１を有する断面ほぼＣ字状に形成されている（図１０参照。）。つまり、浴室１は４隅に上下方向に延びる２つの浴槽側コーナーポスト４０Ａ、２つの洗い場側コーナーポスト４０Ｂを備えている。
【００２２】
２つの浴槽側平面ポスト４０Ｃ、及び１つの洗い場側平面ポスト４０Ｄは、鋼板に折り曲げ加工を施すなどして形成されている。洗い場側平面ポスト４０Ｄは、洗い場床２０の浴槽１０から離隔する側の縁部の中央部の壁載置部５０の上側に立設される。各浴槽側平面ポスト４０Ｃは、浴槽１０の短手方向の各フランジ部１２の壁載置部５０の洗い場床２０に隣接する側の端部の上側に立設される。
【００２３】
４つの天井つなぎ部材４５は、金属製で一方向に延びて形成されている。各天井つなぎ部材４５は、一方向に延びる方向を横方向に向けて、上方からの平面視において浴室１の四辺の縁部に沿う方向にして、両端部を隣り合う浴槽側コーナーポスト４０Ａ、及び洗い場側コーナーポスト４０Ｂの上端のそれぞれに連結している。また、浴室１の洗い場床２０の浴槽１０から離隔する側、浴槽１０の短手方向の各フランジ部１２に沿う方向に向けられて配置された天井つなぎ部材４５の中央部には浴槽側平面ポスト４０Ｃ、及び洗い場側平面ポスト４０Ｄの上端がそれぞれ連結されている。つまり、浴室１は隣り合う２つの浴槽側コーナーポスト４０Ａ、２つの洗い場側コーナーポスト４０Ｂの上端部を互いに連結する複数の天井つなぎ部材４５を備えている。
【００２４】
壁部材３０は、鋼板製の表面パネルの裏面に石膏ボードを貼り合わせて形成されている。壁部材３０は、表面パネルを浴室１の内側に向けて浴槽１０及び洗い場床２０の周縁部に立設され、各浴槽側コーナーポスト４０Ａ、各洗い場側コーナーポスト４０Ｂ、各浴槽側平面ポスト４０Ｃ、及び洗い場側平面ポスト４０Ｄに連結される。壁部材３０は、浴槽１０及び洗い場床２０を囲うように複数配置される。
【００２５】
窓７０は、図９に示すように、外形が四角形状をなしたガラス板７５が金属製の枠７６に嵌め込まれている。枠７６は左枠７１、右枠７２、上枠７３、及び下枠７４を具備している。窓７０はＦＩＸ窓である。
【００２６】
左枠７１及び右枠７２の形状は互いに鏡面対象である。このため、右枠７２の形状については左枠７１の形状の説明に代えて割愛する。
左枠７１及び右枠７２は、図１０に示すように、第１枠本体７１Ａ、第１額縁固定片７１Ｂ、第１ガラス支持片７１Ｃ、及び第２ガラス支持片７１Ｄを具備している。第１枠本体７１Ａは、ガラス板７５に直交する方向に延びる第１長辺７１Ｎと、第１長辺７１Ｎの一端に連続して第１長辺７１Ｎに直交する方向に延びる第１短辺７１Ｐと、第１短辺７１Ｐの先端から第１短辺７１Ｐに連続して第１長辺７１Ｎに平行に第１長辺７１Ｎに対向して延びる第２長辺７１Ｑと、第２長辺７１Ｑの先端から第２長辺７１Ｑに連続して第１短辺７１Ｐに平行に第１短辺７１Ｐに対向して延びる第２短辺７１Ｒと、第２短辺７１Ｒの先端と第１長辺７１Ｎの他端とを繋ぎ、第１枠本体７１Ａの内側に向けて窪んだ凹部７１Ｍとを具備している。これら第１長辺７１Ｎ、第１短辺７１Ｐ、第２長辺７１Ｑ、第２短辺７１Ｒ、及び凹部７１Ｍが図１０における手前奥方向に延びている。第１額縁固定片７１Ｂは第１短辺７１Ｐと第２長辺７１Ｑとの境界部から第２長辺７１Ｑに対して平行に延びており図１０における手前奥方向に延びている。
【００２７】
第１ガラス支持片７１Ｃ、及び第２ガラス支持片７１Ｄは互いに平行をなしており、互いの間に所定の寸法を設けて第２長辺７１Ｑの表面に形成されており、図１０における手前奥方向に延びている。第１ガラス支持片７１Ｃ、及び第２ガラス支持片７１Ｄは第２長辺７１Ｑの表面に対して直交する方向に、第１長辺７１Ｎから離れる方向に延びている。第１ガラス支持片７１Ｃは第２長辺７１Ｑと第２短辺７１Ｒとの境界部の近傍に位置している。第２ガラス支持片７１Ｄは第１ガラス支持片７１Ｃよりも第１額縁固定片７１Ｂに近い位置である。第１ガラス支持片７１Ｃ、及び第２ガラス支持片７１Ｄには互いに近づく方向に突出する突出部７１Ｅが設けられている。また、第１ガラス支持片７１Ｃ、及び第２ガラス支持片７１Ｄの間には、図１０における手前奥方向に延びており、断面形状がほぼＬ字状をなした係止部材７１Ｓが配置されている。具体的には、係止部材７１Ｓの一方の辺が、第１ガラス支持片７１Ｃ、及び第２ガラス支持片７１Ｄの突出部７１Ｅに係止している。また、第１ガラス支持片７１Ｃの別の突出部７１Ｅには図１０における手前奥方向に延びる緩衝部材７１Ｆが取り付けられている。また、係止部材７１Ｓの他方の辺の先端部には、図１０における手前奥方向に延びる緩衝部材７１Ｇが配置されている。ガラス板７５の縁部は緩衝部材７１Ｆ，７１Ｇの間に挟みこまれている。
【００２８】
左枠７１及び右枠７２には、図９に示すように、２つの仮固定ねじ挿入孔７１Ｈ、４つの本固定ねじ挿入孔７１Ｊ、及び５つの額縁固定ねじ挿入孔７１Ｋが形成されている。各仮固定ねじ挿入孔７１Ｈは、第１枠本体７１Ａの上端部及び下端部に形成されている。各仮固定ねじ挿入孔７１Ｈは第１枠本体７１Ａの第１長辺７１Ｎ及び第２長辺７１Ｑを貫通して形成されている（図１０参照。）。各本固定ねじ挿入孔７１Ｊは、第１枠本体７１Ａの第１長辺７１Ｎ及び第２長辺７１Ｑを貫通して、互いの間の寸法が同じになるように一列に並んで形成されている（図９、１０参照。）。各額縁固定ねじ挿入孔７１Ｋは、第１額縁固定片７１Ｂに貫通して互いの間の寸法が同じになるように一列に並んで形成されている（図９、１０参照。）。また、第１枠本体７１Ａの第１長辺７１Ｎ及び第２長辺７１Ｑの一端部にはほぼ凸字状に切りかかれて形成された窪み部７１Ｌが設けられている（図１１参照。）。
【００２９】
上枠７３は、図１１に示すように、第２枠本体７３Ａ、第２額縁固定片７３Ｂ、第３ガラス支持片７３Ｃ、及び第４ガラス支持片７３Ｄを具備している。第２枠本体７３Ａは、ガラス板７５に平行に延びる第１辺７３Ｅと、第１辺７３Ｅの一端に設けられた第２枠本体７３Ａの内側に向けて窪んだ凹部７３Ｋを介して第１辺７３Ｅに直交する方向に延びた第２辺７３Ｆと、第１辺７３Ｅの他端に設けられた第２枠本体７３Ａの内側に向けて窪んだ凹部７３Ｌを介して第２辺７３Ｆに対して平行に延びた第３辺７３Ｇとで構成されている。これら第１辺７３Ｅ、凹部７３Ｋ、第２辺７３Ｆ、凹部７３Ｌ、及び第３辺７３Ｇが図１１における手前奥方向に延びている。
【００３０】
第２額縁固定片７３Ｂは、第３辺７３Ｇの先端に連続して、第３辺７３Ｇに平行に第１辺７３Ｅから離れる方向に延び、図１１における手前奥方向に延びている。第３ガラス支持片７３Ｃは第１辺７３Ｅと凹部７３Ｌとの境界部から、第１辺７３Ｅに対して平行に延び、図１１における手前奥方向に延びている。第４ガラス支持片７３Ｄは凹部７３Ｌと第３辺７３Ｇとの境界部から、第３ガラス支持片７３Ｃに対して平行に延び、図１１における手前奥方向に延びており、第３ガラス支持片７３Ｃとの間に所定の寸法を設けている。第３ガラス支持片７３Ｃ、及び第４ガラス支持片７３Ｄのそれぞれの先端部には互いに近づく方向に突出する突出部７３Ｈが設けられている。第３ガラス支持片７３Ｃの突出部７３Ｈには図１１における手前奥方向に延びる緩衝部材７１Ｆが取り付けられている。また、第４ガラス支持片７３Ｄの突出部７３Ｈには７１Ｇが配置されている。これら緩衝部材７１Ｆ，７１Ｇの間にはガラス板７５の縁部が挟みこまれている。また、第２額縁固定片７３Ｂには８つの額縁固定ねじ挿入孔７３Ｊが互いの間の寸法が同じになるように一列に並んで貫通して形成されている（図９参照。）。第２枠本体７３Ａの両端のそれぞれは左枠７１及び右枠７２の第１枠本体７１Ａの第２長辺７１Ｑの他端部に連結している。また、第２額縁固定片７３Ｂの両端のそれぞれは左枠７１及び右枠７２の第１額縁固定片７１Ｂの他端に隣接している。
【００３１】
下枠７４は、図１１に示すように、第３枠本体７４Ａ、第３額縁固定片７４Ｂ、第５ガラス支持片７４Ｃ、及び垂下片７４Ｄを具備している。第３枠本体７４Ａはガラス板７５に平行に延びる第４辺７４Ｅと、第４辺７４Ｅの一端に第３枠本体７４Ａの内側に向けて窪んで隣り合う凹部７４Ｓ，７４Ｔを介して第４辺７４Ｅに対して垂直に延びた第５辺７４Ｆと、第４辺７４Ｅの他端に連続し、第４辺７４Ｅに対して垂直に延びた第６辺７４Ｇと、第６辺７４Ｇの先端に第３枠本体７４Ａの内側に向けて窪んだ凹部７４Ｕを介して第６辺７４Ｇに対して垂直で、第４辺７４Ｅに対向して延びる第７辺７４Ｈと、第５辺７４Ｆ及び第７辺７４Ｈに対して所定の角度をなし、第５辺７４Ｆの先端と第７辺７４Ｈの先端とを繋ぐ第８辺７４Ｖとで構成されている。これら第４辺７４Ｅ、凹部７４Ｓ，７４Ｔ、第５辺７４Ｆ、第６辺７４Ｇ、凹部７４Ｕ、第７辺７４Ｈ、及び第８辺７４Ｖが、図１１における手前奥方向に延びている。第３額縁固定片７４Ｂは、凹部７４Ｕと第７辺７４Ｈの境界部から第７辺７４Ｈに平行に延びる額縁固定垂下片７４Ｊと、額縁固定垂下片７４Ｊの先端から額縁固定垂下片７４Ｊに対して直交する方向であって、第４辺７４Ｅから離れる方向に延びる額縁固定片本体７４Ｋで構成されている。第３額縁固定片７４Ｂは、額縁固定垂下片７４Ｊ、及び額縁固定片本体７４Ｋが図１１における手前奥方向に延びている。
【００３２】
第５ガラス支持片７４Ｃは、凹部７４Ｔの近傍の凹部７４Ｓの表面から第５辺７４Ｆに平行に、第４辺７４Ｅに近づく方向に延びる基部片７４Ｌと、基部片７４Ｌの先端から基部片７４Ｌに対して直交する方向で、第５辺７４Ｆに近づく方向に延びるガラス支持片本体７４Ｍで構成されている。第５ガラス支持片７４Ｃは、基部片７４Ｌ、及びガラス支持片本体７４Ｍが図１１における手前奥方向に延びている。また、ガラス支持片本体７４Ｍの先端部、及び第５ガラス支持片７４Ｃに対向する凹部７４Ｔの表面の第５辺７４Ｆとの境界部の近傍のそれぞれには互いに近づく方向に突出する突出部７４Ｎが設けられている。ガラス支持片本体７４Ｍの突出部７４Ｎには、図１１における手前奥方向に延びる緩衝部材７１Ｆが取り付けられている。また、凹部７４Ｔの突出部７４Ｎには、図１１における手前奥方向に延びる緩衝部材７１Ｇが配置されている。これら緩衝部材７１Ｆ，７１Ｇの間にはガラス板７５の縁部が挟みこまれている。
【００３３】
垂下片７４Ｄは、第４辺７４Ｅと第６辺７４Ｇの境界部から第４辺７４Ｅに平行に延びる垂下片本体７４Ｐと、垂下片本体７４Ｐの先端から垂下片本体７４Ｐに直交する方向で第７辺７４Ｈに近づく方向に延びる垂下小片７４Ｑとで構成されている。また、垂下小片７４Ｑの先端部には、第６辺７４Ｇに近づく方向に突出した付当て部７４Ｗが設けられている。垂下片７４Ｄは、垂下片本体７４Ｐ、垂下小片７４Ｑ、及び付当て部７４Ｗが図１１における手前奥方向に延びている。また、第３額縁固定片７４Ｂには８つの額縁固定ねじ挿入孔７４Ｒが互いの間の寸法が同じになるように一列に並んで貫通して形成されている（図９参照。）。下枠７４の両端のそれぞれは左枠７１及び右枠７２の第１枠本体７１Ａの第２長辺７１Ｑの一端部に連結している。また、下枠７４の第３額縁固定片７４Ｂの両端のそれぞれは左枠７１及び右枠７２の第１額縁固定片７１Ｂの一端に隣接している。なお、左枠７１及び右枠７２の窪み部７１Ｌは下枠７４の第６辺７４Ｇ、凹部７４Ｕ、垂下片７４Ｄ、及び第３額縁固定片７４Ｂで囲まれた空間に連通している。
こうして形成された窓７０は浴槽１０の洗い場床２０から離隔する側のフランジ部１２に位置する壁載置部５０の上側に立設され、左枠７１及び右枠７２が各浴槽側コーナーポスト４０Ａのそれぞれに連結される。つまり、浴室１は枠７６を有した窓７０を浴槽１０の長手方向のフランジ部１２で支持している。
【００３４】
次に、浴室１の施工方法について説明する。
【００３５】
先ず、図１に示すように、浴槽１０及び洗い場床２０を所定の場所に設置する。そして、２つの浴槽側コーナーポスト４０Ａ、２つの洗い場側コーナーポスト４０Ｂ、２つの浴槽側平面ポスト４０Ｃ、及び１つの洗い場側平面ポスト４０Ｄを上下方向に向けて所定の位置に配置する。そして、２つの浴槽側コーナーポスト４０Ａ、２つの洗い場側コーナーポスト４０Ｂ、２つの浴槽側平面ポスト４０Ｃ、及び１つの洗い場側平面ポスト４０Ｄのそれぞれの下端を壁載置部５０の上面に当接させる。そして、２つの浴槽側コーナーポスト４０Ａ、２つの洗い場側コーナーポスト４０Ｂ、２つの浴槽側平面ポスト４０Ｃ、及び１つの洗い場側平面ポスト４０Ｄを壁載置部５０の立壁部６０に連結する。なお、２つの浴槽側コーナーポスト４０Ａのそれぞれには、図１０に示すように、Ｌ字状の断面形状をなした窓枠固定アングル４３の一方の辺４３Ａが各浴槽側コーナーポスト４０Ａの浴槽１０に対して反対側の面に当接されて各浴槽側コーナーポスト４０ＡにねじＳ１を用いてねじ留めされている（図１０参照。）。また、各窓枠固定アングル４３の他方の辺４３Ｂは一方の辺４３Ａに直交する方向で浴槽１０から離れる方向に延びている。また、各窓枠固定アングル４３の他方の辺４３Ｂは各浴槽側コーナーポスト４０Ａが互いに対向する面に面一になるように配置されている。
次に、２つの浴槽側コーナーポスト４０Ａ、２つの洗い場側コーナーポスト４０Ｂ、２つの浴槽側平面ポスト４０Ｃ、及び１つの洗い場側平面ポスト４０Ｄの上端部を複数の天井つなぎ部材４５で互いに連結する。
【００３６】
次に、壁部材取り付け工程を実行する。具体的には、図２に示すように、洗い場側コーナーポスト４０Ｂの少なくとも一方に、この洗い場側コーナーポスト４０Ｂを２枚の壁部材３０で挟んで取り付ける。各壁部材３０の下端は洗い場床２０側の壁載置部５０の上面に当接するように配置する。こうして洗い場側コーナーポスト４０Ｂの少なくとも一方に２枚の壁部材３０を取り付けることによって、１本の洗い場側コーナーポスト４０Ｂだけでなく、全ての柱部材４０を傾き難くすることができる。つまり、壁部材取り付け工程は、後述する窓載置工程の前に窓７０が隣接しない洗い場側コーナーポスト４０Ｂの少なくとも一方の洗い場側コーナーポスト４０Ｂを挟んで２つの壁部材３０を洗い場側コーナーポスト４０Ｂに取り付ける。また、２枚の壁部材３０は浴槽側コーナーポスト４０Ａから所定の距離離れているため、後述する窓載置工程で窓７０を取り扱う際に、窓７０と２枚の壁部材３０とが接触して窓７０又は２枚の壁部材３０に傷が付く機会を減らすことができる。
【００３７】
そして、図３に示すように、浴槽１０の上面全体を覆うように養生部材Ｃを配置する。具体的には、養生部材Ｃは長方形状をなし中央部に長孔が設けられたダンボール紙で形成されており、この養生部材Ｃを浴槽１０のフランジ部１２の上面を覆うように配置する。そして、一対の枕木Ｗを養生部材Ｃの上面であって、浴槽１０の一対の長手方向のフランジ部１２に掛け渡す。枕木Ｗは例えば発泡樹脂や木材等で形成されている。そして、浴槽１０の洗い場床２０から離隔する側に位置する壁載置部５０の立壁部６０の浴室１の内側の面に合成樹脂製の平板状のスペーサ１４を２枚取り付ける。これらスペーサ１４は、図５、１１に示すように、下端を壁載置部５０の上面に当接させる。これらスペーサ１４の上端は立壁部６０の上端とほぼ面一である。これらスペーサ１４は窓７０の上下方向における傾き等を垂直になるように調整したり、窓７０を浴槽１０の長手方向のフランジ部１２に載置する際、窓７０が浴室１の外側に過剰に食み出すことを抑えたりするものである。
【００３８】
次に、予め帯状の索状物であるＰＰバンド７７が４本巻きつけられた窓７０を準備する窓準備工程を実行する。窓７０には、図４に示すように、予め帯状の索状物であるＰＰバンド７７が４本巻きつけられている。これらＰＰバンド７７は、枠７６にガラス板７５を取り付ける工程を実行する工場で窓７０に巻きつけられ、この工場で窓７０とともに外側から見えない状態で梱包され出荷される。そして、これらＰＰバンド７７は、窓７０を浴槽１０のフランジ部１２の所定の位置に載置するまで窓７０に巻きつけられている。これらＰＰバンド７７は、左枠７１及び右枠７２に沿うように、窓７０の上枠７３と下枠７４とにクッションＭ等を介して巻きつけられている。また、これらＰＰバンド７７は、左枠７１及び右枠７２の近傍に２本ずつが配置されている。こうすることによって、作業者がＰＰバンド７７を把持した際にＰＰバンド７７の張力によって窓７０の上枠７３、及び下枠７４が変形することを抑えることができる。なお、ＰＰバンド７７は窓７０を設置した後に取り外されるものである。つまり、窓７０には、施工完了前に、左枠７１及び右枠７２に沿うように縦方向にＰＰバンド７７が巻きつけられている。
【００３９】
そして、窓載置工程を実行する。先ず、作業者は、図４に示すように、窓７０に巻きつけられたＰＰバンド７７を把持して、窓７０の下枠７４を下側にし、上枠７３を上側にして枕木Ｗの上に窓７０を載置する。また、このとき、左枠７１及び右枠７２の第１額縁固定片７１Ｂ、上枠７３の第２額縁固定片７３Ｂ、及び下枠７４の第３額縁固定片７４Ｂが浴槽１０の洗い場床２０から離隔する側に向いている。そして、作業者は窓７０に巻きつけられたＰＰバンド７７を把持しつつ、浴室１の内側から窓７０を浴槽１０の壁載置部５０に向けて枕木Ｗの上を移動させる。そして、窓７０の窪み部７１Ｌを浴槽１０の長手方向のフランジ部１２の壁載置部５０の立壁部６０に係合して、浴室１の内側から窓７０を浴槽１０の長手方向のフランジ部１２に載置する（図５参照。）。このとき、下枠７４の垂下片７４Ｄの付当て部７４Ｗが立壁部６０に貼り付けられたスペーサ１４の浴槽本体１１側の面に当接した状態である（図１１参照。）。また、窓７０は、左枠７１及び右枠７２のそれぞれが、各浴槽側コーナーポスト４０Ａのそれぞれに隣接した状態である（図４、１０参照。）。つまり、窓７０は、浴槽１０の長手方向の全幅にわたってフランジ部１２に支持されている。また、このとき、ＰＰバンド７７は窓７０の下枠７４の垂下小片７４Ｑと壁載置部５０との間に挟まった状態である（図６（Ｂ）参照。）。そして枕木Ｗを取り外す。
【００４０】
次に、ＰＰバンド７７を取り外す。
具体的には、図６（Ａ）〜（Ｃ）に示すように、窓７０を挟んで浴室１の内側と浴室１の外側とに作業者を配置する。そして、浴室１の内側の作業者がＰＰバンド７７を把持した状態で、浴室１の外側の作業者がＰＰバンド７７を切断する。そして、浴室１の内側の作業者が切断されたＰＰバンド７７を取り外す。このとき、浴室１の外側の作業者は、窓７０の下枠７４の第３額縁固定片７４Ｂに手を掛けて窓７０を僅かに持ち上げることによって、窓７０の下枠７４の垂下小片７４Ｑと壁載置部５０との間からＰＰバンド７７を良好に抜き取ることができる（図６（Ｃ）参照。）。こうして、窓載置工程を終了する。
【００４１】
次に、窓７０の左枠７１及び右枠７２の仮固定ねじ挿入孔７１ＨにねじＳ２を挿通し、各窓枠固定アングル４３にねじ留めをして各窓枠固定アングル４３に対して窓７０を仮固定する（図７、１０、１１参照。）。
そして、各浴槽側コーナーポスト４０Ａ、各洗い場側コーナーポスト４０Ｂ、及び各浴槽側平面ポスト４０Ｃ、及び洗い場側平面ポスト４０Ｄに残りの壁部材３０やドア枠（図示せず）等を取り付ける（図８参照。）。そして、壁部材３０、ドア枠、及び窓７０の上下方向における傾き等を調整した後、仮固定ねじ挿入孔７１Ｈに挿通して仮固定したねじＳ２を本締めし、さらに、窓７０の左枠７１及び右枠７２の本固定ねじ挿入孔７１ＪにねじＳ３を挿通し、各窓枠固定アングル４３にねじ留めして本固定する（図１０、１１参照。）。
【００４２】
そして、居室側の額縁Ｆが設置された後、窓７０の左枠７１、右枠７２、上枠７３、及び下枠７４に設けられた額縁固定ねじ挿入孔７１Ｋ，７３Ｊ，７４ＲにねじＳ４を挿通し、居室側の額縁Ｆにねじ留めする（図１０、１１参照。）。そして、天井つなぎ部材４５の上側に天井部材Ｔ（図１１参照）を取り付け、ドア枠にドア（図示せず）を取り付けて浴室１を形成する。そして、左枠７１及び右枠７２の第１枠本体７１Ａの凹部７１Ｍ、下枠７４の垂下片７４Ｄと浴槽１０の長手方向のフランジ部１２との間、及び上枠７３の第２枠本体７３Ａの凹部７３Ｋに浴室１の内側からシール部材Ｐを充填して防水処理を施す（図１０、１１参照。）。
【００４３】
このように、浴室１は、浴槽１０の長手方向のフランジ部１２が枠７６を有する窓７０を支持する構造であり、窓７０の設置が簡単である。また、浴室１の施工方法は、窓７０を施工する作業者がＰＰバンド７７を把持することによって、窓７０の運搬や設置を容易にすることができる。また、浴室１の施工方法は、浴室１の内側から窓７０を浴槽１０の長手方向のフランジ部１２に載置するため、浴室１の外側の状況に影響されることなく浴室１を施工することができる。
【００４４】
また、浴室１の施工方法は、窓７０を施工する作業者がＰＰバンド７７を把持することによって、窓７０の運搬や設置が容易である。
【００４５】
また、浴室１の施工方法は、浴室１の内側から窓７０を浴槽１０の長手方向のフランジ部１２に載置するため、浴室１の外側の状況に影響されることなく浴室１を施工することができる。
【００４６】
したがって、本発明の浴室１は容易に組み立てることができ、本発明の浴室１の施工方法は容易に浴室１を組み立てることができる。
【００４７】
また、窓７０は、浴槽１０の長手方向の全幅にわたってフランジ部１２に支持されている。このため、浴室１は浴槽１０の長手方向のフランジ部１２の全幅にわたって窓７０で構成することができるため、大きな窓７０の設置が簡単である。
【００４８】
また、浴室１の施工方法は、浴室１の４隅に上下方向に延びる２本の浴槽側コーナーポスト４０Ａ、２本の洗い場側コーナーポスト４０Ｂと、各浴槽側コーナーポスト４０Ａ、各洗い場側コーナーポスト４０Ｂの上端部を互いに連結する４つの天井つなぎ部材４５とを備えており、窓載置工程の前に、窓７０が隣接しない洗い場側コーナーポスト４０Ｂの少なくとも一方の洗い場側コーナーポスト４０Ｂを挟んで２つの壁部材３０を洗い場側コーナーポスト４０Ｂに取り付ける壁部材取り付け工程を備えている。このため、２つの壁部材３０が取り付けられた洗い場側コーナーポスト４０Ｂは２つの壁部材３０によって倒れ難くすることができる。また、複数の天井つなぎ部材４５によって各浴槽側コーナーポスト４０Ａ、各洗い場側コーナーポスト４０Ｂが連結しているため、壁部材３０が取り付けられていない各浴槽側コーナーポスト４０Ａ、各洗い場側コーナーポスト４０Ｂも倒れ難くすることができる。これにより、壁部材取り付け工程の後に窓載置工程を実行しても、窓７０の重さによって各浴槽側コーナーポスト４０Ａ、各洗い場側コーナーポスト４０Ｂが倒れることを抑えることができる。
【００４９】
本発明は上記記述及び図面によって説明した実施例に限定されるものではなく、例えば次のような実施例も本発明の技術的範囲に含まれる。
（１）実施例１では、ＰＰバンドが４本巻きつけられているが、ＰＰバンドが４本より少なくてもよく、４本より多くてもよい。
（２）実施例１では、浴槽の洗い場床から離隔する側に位置する壁載置部の立壁部の浴室側の面に合成樹脂製の平板状のスペーサを２枚取り付けて、垂下片の垂下小片の先端をスペーサの表面に当接させているが、スペーサを取り付けずに、垂下小片の先端を壁載置部の立壁部に当接させてもよい。
（３）実施例１では、壁載置部（立壁部）が浴槽や洗い場床と別体で設けられているが、壁載置部（立壁部）を浴槽や洗い場床のそれぞれに一体的に形成してもよい。
（４）実施例１では、浴槽のフランジ部の上面に壁載置部を設けて窓をフランジ部の上面に対して段差を設けフランジ部の上面より高い位置に載置しているが、浴槽のフランジ部の上面に対して段差を設けずに窓をフランジ部の上面に載置してもよい。
【符号の説明】
【００５０】
１０…浴槽
１２…フランジ部（縁）
４０Ａ…浴槽側コーナーポスト（コーナーポスト）
４０Ｂ…洗い場側コーナーポスト（コーナーポスト）
４５…天井つなぎ部材
７０…窓
７６…枠
７７…ＰＰバンド（帯状の索状物）
【図１】
2019119986.tif 000003
【図２】
2019119986.tif 000004
【図３】
2019119986.tif 000005
【図４】
2019119986.tif 000006
【図５】
2019119986.tif 000007
【図６】
2019119986.tif 000008
【図７】
2019119986.tif 000009
【図８】
2019119986.tif 000010
【図９】
2019119986.tif 000011
【図１０】
2019119986.tif 000012
【図１１】
2019119986.tif 000013